(57)【要約】【課題】枠体のコーナ部での遮光を担う部品を用いることなくコーナ部での光漏れを抑制できるとともに、外観を向上できる制光体を提供する。【解決手段】方形の枠体10が一対の第１の枠部材11と一対の第２の枠部材21を具備する。枠部材11は、第１ウェブ12、第１内側フランジ13、及び第１外側フランジ14を有する。ウェブ12の長手方向の端部12bを、斜状端面12aを有して三角形状に形成する。ウェブ12の両側縁からフランジ13，14を折り曲げる。第２の枠部材21は、第２ウェブ22、第２内側フランジ23、及び第２外側フランジ24を有する。ウェブ22の長手方向の端部22aを、ウェブ12の三角形状の端部12bに重ねる。ウェブ22の両側縁からフランジ23，24を折り曲げる。フランジ13をフランジ23に連結するとともに、第２外側フランジ24を第１外側フランジ14に直角に連ねる。外側フランジ14、24の内の一方に、他方の外側フランジの長手方向の端部内側面に重なる遮光片16を設ける。【選択図】      図４
2008293800.tif 000002
【特許請求の範囲】
【請求項１】
方形をなす枠体の内側に制光部材を支持してなる制光体において、
前記枠体が、
長手方向両端に互いに逆向きの斜状端面を有して長手方向の端部が三角形状に形成された第１ウェブ、この第１ウェブの一側縁から折り曲げられた第１内側フランジ、及び前記一側縁より長い前記第１ウェブの他側縁から折り曲げられた第１外側フランジを有して、溝形に形成された一対の第１の枠部材と；
長手方向の端部が前記第１ウェブの三角形状をなした長手方向の端部に重なる第２ウェブ、この第２ウェブの一側縁から折り曲げられて前記第１内側フランジに連結される第２内側フランジ、及び前記第２ウェブの他側縁から折り曲げられて前記第１外側フランジに直角に連なる第２外側フランジを有して、溝形に形成された一対の第２の枠部材と；を具備するとともに、
前記第１外側フランジと第２外側フランジの内の一方の外側フランジにその長手方向の端から折れ曲がる遮光片を設け、この遮光片を他方の外側フランジの長手方向の端部側面に重ねたことを特徴とする制光体。
【請求項２】
前記第１の枠部材を前記第２の枠部材より短くするとともに、前記遮光片を前記第１の枠部材の第１外側フランジから折り曲げて前記第２外側フランジの長手方向の端部内側面に重ねたことを特徴とする請求項１に記載の制光体。
【請求項３】
下面が開口された器具本体と；
この器具本体内に配置された光源と；
前記器具本体の開口に取付けられた請求項１又は２に記載の制光体と；
を具備したことを特徴とする照明器具。
【発明の詳細な説明】
【技術分野】
【０００１】
本発明は、光源が配置された器具本体の下面開口に装着して使用されるルーバ等の制光体、及びこの制光体を備える天井埋め込み型照明器具等の照明器具に関する。
【背景技術】
【０００２】
従来、四角枠形の外枠の内部にルーバ片を設けてなるルーバにおいて、外枠の外周の各面に補強フランジを形成し、直角に隣接した補強フランジ同士の接合部をコーナ金具によって連結するルーバが知られている（例えば、特許文献１参照。）。
【０００３】
又、爪係合により四角枠形に組立てられた外枠に立ち上げ部を有するフランジを設け、直角に隣接したフランジ同士がなすコーナ部の内側面に配置される折り曲げ端部を有した一対の補強枠を立ち上げ部に係止し、これら補強枠の対向する折り曲げ端部同士を接続金具で連結して外枠を緊締することで、外枠の接合部での隙間を小さくして外枠のコーナ部での光漏れを抑制するようにしたルーバも知られている（例えば、特許文献１参照。）。このルーバでの補強枠は、垂直部と水平部とから断面形状がＬ形をなしていて、隣接したフランジ同士がなすコーナ部の内側面に重なって、このコーナ部での光漏れを抑制できる。
【特許文献１】実開平５−２３０６号公報（段落0002−0011、図１−図７）
【発明の開示】
【発明が解決しようとする課題】
【０００４】
ルーバは光源が配置された器具本体の下面開口の内側に装着して使用されるので、外枠のフランジにも上方から光が差し込む。そのため、コーナ金具を用いて外枠の補強フランジ同士の接合部を連結した構成では、補強フランジの立ち上げ部をコーナ金具が覆っていないので、隣接した補強フランジ同士の立ち上げ部の合わせ目から光が漏れる。しかも、外枠を組立てるのに、４個のコーナ金具と、各コーナ金具を複数のブラインドリベット等を用いてコーナ部に固定する手間を必要とするので、コスト高である。
【０００５】
又、前記のように外枠を緊締するルーバでは、フランジ同士がなすコーナ部での光漏れを抑制できるが、そのために、二個の補強枠および二個の接続金具とその取付けの手間を必要とするので、コスト高である。
【０００６】
一方、照明器具を見上げた場合、ルーバのコーナ部の下面は視認されるようになっている。そして、特許文献１には、外枠のフランジがコーナ部でどのように接合されているのかは不明であるが、一般的に、各フランジの長手方向の端面は斜めに形成されていて、その斜状端面同士を突き当てるようにしている。
【０００７】
ところで、外枠をなす各枠部材は通常金属板を折り曲げて形成されるので、特に、長方形の枠形状をなしているルーバの外枠では、その長い方の枠部材の折り曲げ精度がばらつきやすい傾向がある。このため、折り曲げ精度のばらつきにより、斜状端面同士の突合せ部の隙間が目立ってルーバの外観を低下させることがある。
【０００８】
本発明の目的は、枠体のコーナ部での遮光を担う部品を用いることなくコーナ部での光漏れを抑制できるとともに、外観を向上できる制光体及びこれを備えた照明器具を提供することである。
【課題を解決するための手段】
【０００９】
請求項１の発明の制光体は、方形をなす枠体の内側に制光部材を支持してなる制光体において、前記枠体が、長手方向両端に互いに逆向きの斜状端面を有して長手方向の端部が三角形状に形成された第１ウェブ、この第１ウェブの一側縁から折り曲げられた第１内側フランジ、及び前記一側縁より長い前記第１ウェブの他側縁から折り曲げられた第１外側フランジを有して、溝形に形成された一対の第１の枠部材と；長手方向の端部が前記第１ウェブの三角形状をなした長手方向の端部に重なる第２ウェブ、この第２ウェブの一側縁から折り曲げられて前記第１内側フランジに連結される第２内側フランジ、及び前記第２ウェブの他側縁から折り曲げられて前記第１外側フランジに直角に連なる第２外側フランジを有して、溝形に形成された一対の第２の枠部材と；を具備するとともに、前記第１外側フランジと第２外側フランジの内の一方の外側フランジにその長手方向の端から折れ曲がる遮光片を設け、この遮光片を他方の外側フランジの長手方向の端部側面に重ねたことを特徴としている。
【００１０】
請求項１の発明で、枠体は正方形でも長方形でも良い。請求項１の発明で、枠体に支持される制光部材には、平行に並べられた複数のルーバ板、又は格子状に組まれた複数のルーバ板を用いることができ、或いは拡散透光性材料からなるカバー板を用いることもできる。請求項１の発明で、第１ウェブの斜状端面は、４５°以外の角度で設けることも可能であるが、第１、第２のウェブの幅を同じにする上では、４５°の角度で設けることが好ましい。又、請求項１の発明で、遮光片は、これを有さない外側フランジの端部内側面又は端部外側面に重なることができるが、制光体が単独の状態での遮光片の視認が難しくなるようにするためには、外側フランジの端部内側面端部に遮光片を重ねることが好ましい。
【００１１】
請求項１の発明では、直角に隣接した第１ウェブと第２ウェブとをそれらの端面で突き合せることなく、第１ウェブの斜状端面を有した三角形状の長手方向の端部に、第２ウェブの端部を重ねたことにより、第１ウェブと第２ウェブとの間を通る光漏れを抑制できる。これとともに、直角に隣接した第１外側フランジと第２外側フランジとの合わせ部が、これら第１、第２の外側フランジの一方が有する遮光片で覆われることにより、直角に隣接した第１外側フランジと第２外側フランジとの間を通る光漏れを抑制できる。このように第１、第２の枠部材自体の構成を利用して枠体のコーナ部での光漏れを抑制したので、光漏れを抑制するためのコーナ金具等の別部品を、直角に隣接した枠部材にわたって配設する必要がない。したがって、枠体のコーナ部での遮光を担う部品を用いることなくコーナ部での光漏れを抑制できる。これとともに、第１ウェブと第２ウェブの端部同士が突き合わされないため、斜状端面を有した第１の枠部材の折り曲げ精度が大きくばらつくことがあっても、その影響が外観に目立って現れ難く、外観を向上できる。
【００１２】
請求項２の発明の制光体は、前記第１の枠部材を前記第２の枠部材より短くするとともに、前記遮光片を前記第１の枠部材の第１外側フランジから折り曲げて前記第２外側フランジの長手方向の端部内側面に重ねたことを特徴としている。
【００１３】
この請求項２の発明では、第１の枠部材が短いので、その折り曲げ精度がばらつき難くなるに伴い斜状端面の向きがばらつく可能性が低い。そのため、斜状端面の向きのばらつきの影響がより目立って現れないようにできる。加えて、遮光片が見え難く配置される。したがって、外観を向上できる。
【００１４】
請求項３の発明の照明器具は、下面が開口された器具本体と；この器具本体内に配置された光源と；前記器具本体の開口に取付けられた請求項１又は２に記載の制光体と；を具備したことを特徴としている。この発明で、光源には、蛍光ランプを用いることができる他、複数の発光ダイオードを光源要素として有した発光装置を用いることもできる。
【００１５】
この請求項３の発明では、枠体のコーナ部での遮光を担う部品を用いることなくコーナ部での光漏れを抑制できるとともに、外観を向上できる請求項１又は２の制光体を備えた照明器具を提供できる。
【発明の効果】
【００１６】
請求項１，２の発明によれば、枠体のコーナ部での遮光を担う部品を用いることなくコーナ部での光漏れを抑制できるとともに、外観を向上できる制光体を提供できる。
【００１７】
請求項３の発明によれば、枠体のコーナ部での遮光を担う部品を用いることなくコーナ部での光漏れを抑制できるとともに、外観を向上できる制光体を備えた照明器具を提供できる。
【発明を実施するための最良の形態】
【００１８】
図１〜図７を参照して本発明の一実施形態を説明する。
【００１９】
図１中符号１は屋内天井面に埋め込んで設置される照明器具を示している。この照明器具１は、器具本体２、光源として例えば直管型の蛍光ランプ３と、制光体として例えばルーバ５を備えている。
【００２０】
器具本体２は下面が長方形に開口された直方体状の箱形状をなしている。器具本体２は本体フランジ２ａを有している。本体フランジ２ａは器具本体２の下面開口を縁取っていて器具本体２の側方に張り出している。この本体フランジ２ａは、器具本体２が室内天井面に埋め込み設置された状態で、室内天井面に開口された埋め込み孔の周部下面に下方から押し当てられるようになっている。
【００２１】
器具本体２の長手方向の両端壁の内面側には、ランプソケット４（一方のみ図示）が夫々配置されていて、これらランプソケット４にわたって器具本体２内に配置される蛍光ランプ３が取外し可能に支持されている。この蛍光ランプ３を点灯させる図示しない電子安定器等の点灯装置は器具本体２に取付けられている。
【００２２】
ルーバ５は、本体フランジ２ａで囲まれた器具本体２の下面開口に取付けられて、蛍光ランプ３を下方から覆っている。図２に示すようにルーバ５は、器具本体２の下面開口の形状に応じて長方形の枠体１０と、制光部材として例えば複数のルーバ板３１とを備えている。
【００２３】
枠体１０は、互いに平行に配置されて枠体１０の短辺をなす一対の第１の枠部材（以下エンド部材と称する。）１１と、互いに平行に配置されて枠体１０の長辺をなす一対の第２の枠部材（以下サイド部材と称する。）２１を、互いの端部で連結して組立てられている。図２に示すようにサイド部材２１の夫々には複数の取付け部材９が装着されていて、これら取付け部材９を介して枠体１０が器具本体２の下面開口に着脱可能に取付けられるようになっている。
【００２４】
金属板を折り曲げてなるエンド部材１１は、図３、図４、及び図７等に示すように第１ウェブ１２と、第１内側フランジ１３と、第１外側フランジ１４とを有して、第１ウェブ１２を底とする溝形に形成されている。
【００２５】
詳しくは、第１ウェブ１２はその長手方向両端に互いに逆向きの斜状端面１２ａを有している。したがって、第１ウェブ１２の長手方向の端部（第１ウェブ端部）１２ｂは夫々三角形状をなしている。斜状端面１２ａは４５°の角度で設けられている。第１内側フランジ１３は、第１ウェブ１２の短い方の側縁から上側に折り曲げられている。第１外側フランジ１４は、前記側縁と平行な他側縁、言い換えれば、第１ウェブ１２の長い方の側縁から上側に折り曲げられている。
【００２６】
第１内側フランジ１３は第１外側フランジ１４より高く折り曲げられている。この第１内側フランジ１３の長手方向両端の夫々には、図７で代表して示すように上下に位置をずらして一対の係止溝１５が切り欠かれている。係止溝１５の奥端は上下方向に延びるスリット部１５ａをなしている。又、図７中符号１３ａは第１内側フランジ１３の長手方向両端（一方の図示）に設けた切欠きを示している。この切欠き１３ａは、後述の第２ウェブ端部２２ａを第１ウェブ端部１２ｂに重ねる際、第１内側フランジ１３が第２ウェブ端部２２ａを逃げるために設けられている。
【００２７】
図３〜図７に示すようにエンド部材１１は遮光片１６を有している。遮光片１６は、第１外側フランジ１４の長手方向両端からこの第１外側フランジ１４に対して直角となるように折り曲げられている。
【００２８】
金属板を折り曲げてなるサイド部材２１は、図３、図４、及び図７等に示すように第２ウェブ２２と、第２内側フランジ２３と、第２外側フランジ２４とを有して、第２ウェブ２２を底とする溝形に形成されている。
【００２９】
詳しくは、第２ウェブ２２は、長方形状をなしていて、その長手方向両端は平行となっている。第２内側フランジ２３は、第２ウェブ２２の内側の側縁から上側に折り曲げられている。第２外側フランジ２４は、前記側縁と平行な他側縁から上側に折り曲げられている。
【００３０】
第２内側フランジ２３は、第２外側フランジ２４及びエンド部材１１の第１内側フランジ１３より高く折り曲げられているとともに、第２外側フランジから次第に離れるように傾斜されている。この第２内側フランジ１３の長手方向両端の夫々には、図５〜図７に示すように上下に位置をずらして先細形状をなした一対の係止爪２５が一体に突設されている。第２外側フランジ２４の高さは、エンド部材１１の第１外側フランジ１４の高さ、及び遮光片１６の高さと同じである。
【００３１】
エンド部材１１とサイド部材２１とは以下のように組立てられる。
【００３２】
まず、図７に示した状態から、エンド部材１１とサイド部材２１と互いに近づけて図５及び図８に示すように組み合わせる。つまり、第２ウェブ２２の長手方向の端部（第２ウェブ端部）２２ａを、切欠き１３ａに通して第１ウェブ１２の三角形状をなした第１ウェブ端部１２ｂの上面に重ねるとともに、遮光片１６を第２外側フランジ２４の長手方向の端部内側面に重なるようにする。これと同時に、係止爪２５を係止溝１５のスリット部１５ａに挿通させる。
【００３３】
次に、爪係合により第１内側フランジ１３と第２内側フランジ２３とを連結する。つまり、係止爪２５を第１内側フランジ１３に沿って略直角に折り曲げて、第１内側フランジ１３と第２内側フランジ２３とを連結する。
【００３４】
こうしてエンド部材１１とサイド部材２１とが連結されて枠体１０が組立てられる。この組立て完了状態を図３及び図４に示す。この状態では、第２ウェブ２２の長手方向の端面が、第１外側フランジ１４の長手方向の端部内面に当接されるとともに、遮光片１６の下端面が第２ウェブ２２の上面に当接される。これとともに、図３及び図４に示すように第２外側フランジ２４第２外側フランジ２４の長手方向に端２４ａと第１外側フランジ１４の外面とは略面一となるように連続する。又、第１ウェブ端部１２ｂが第２ウェブ端部２２ａに下方から重なるので、枠体１０のコーナ部の下面は、図２に示すようにあたかも４５°の斜状端面同士がつき合わされたと同様な意匠を呈する。
【００３５】
複数のルーバ板３１は、蛍光ランプ３から出射された照明光の遮光角を規定するものであって、一対のサイド部材２１の相対向した第２内側フランジ２３にこれらに両端を支持して、エンド部材１１と平行に配設されている。これらルーバ板３１の取付けは枠体１０を組立てる前に実施される。
【００３６】
以上のように組立てられた枠体１０を備えたルーバ５は、直角に隣接したエンド部材１１の第１ウェブ１２とサイド部材２１の第２ウェブ２２とを、それらの端面を突き合せることなく、第２ウェブ２２の長手方向の端部、つまり第２ウェブ端部２２ａが、第１ウェブ１２の斜状端面１２ａを有した三角形状の長手方向の第１ウェブ端部１２ｂに重なっている。この構成により、枠体１０の直角に連続した第１ウェブ１２と第２ウェブ２２との間を通る下方向への光漏れを抑制できる。
【００３７】
これとともに、枠体１０の直角に隣接したエンド部材１１の第１外側フランジ１４とサイド部材２１の第２外側フランジ２４との合わせ部では、これら第１外側フランジ１４から折れ曲がった遮光片１６が第２外側フランジ２４の長手方向の端部内側面に重なっている。この構成により、第１外側フランジ１４と第２外側フランジ２４との間を通る光漏れを抑制できる。
【００３８】
このようにエンド部材１１自体及びサイド部材２１自体の構成を利用して枠体１０の四隅での光漏れを抑制できる。このため、直角に隣接した枠体１０の四つのコーナ部に、そこからの光漏れを抑制するためのコーナ金具等の別部品を配設する必要がないとともに、それに伴い前記別部品を固定するための部品及び固定のための手間が不要である。したがって、枠体１０の部品点数および組立工数が削減されるので、低コストで、枠体１０のコーナ部での光漏れを抑制できる。
【００３９】
なお、遮光片１６が短く、これと第２外側フランジ２４の長手方向の端部内側面との間を通って光が漏れる可能性がある場合には、遮光片１６の先端縁と第２外側フランジ２４の長手方向の端部内側面にわたる部位（図４中符号Ｐで示す。）に、不透光性の接着剤を塗布することが好ましい。
【００４０】
しかも、遮光片１６が第２外側フランジ２４の長手方向の端部内側面に接触している構成は、枠体１０の組立て強度を高める上で有効である。なお、遮光片１６は第２外側フランジ２４にブラインドリベットなどの固定部品を用いて連結することも可能である。このようにする場合には、前記接着剤の塗布を省略できるだけではなく、枠体１０の組立て強度を更に高める上で有効である。又、このように固定する場合においても、枠体１０のコーナ部を上方から下方に通ろうとする光の漏れ止めをするコーナ金具は必要ではないので、部品点数を削減できることには変わりがない。
【００４１】
更に、ルーバ５の第１ウェブ１２と第２ウェブ２２は、四角形状に連続し、照明器具１を見上げた場合に視認される部分である。しかし、既述のように第１ウェブ１２と第２ウェブ２２の端面同士が突き合わされていないため、突合わせ部に相当する構成がない。このため、斜状端面１２ａを有したエンド部材１１の折り曲げ精度がばらついても、その影響が外観に目立って現れることがない。
【００４２】
その上、サイド部材２１よりも長さが短いエンド部材１１は、その折り曲げ精度がサイド部材２１よりも高いので、その長手方向両端の斜状端面１２ａの向きがばらつく可能性が低い。これにより、斜状端面１２ａの向きのばらつきの影響が外観に目立って現れないようにできるに伴い、ルーバ５の外観を向上できる。
【００４３】
なお、この逆に、サイド部材２１の長手方向両端に斜状端面および折り曲げ部を設けて、斜状端面を有したサイド部材２１の端部上に、エンド部材１１の長手方向の端部を重ねた構成とする場合、寸法が長い故にサイド部材２１の折り曲げ精度がばらつき易くなるに伴い、斜状端面１２ａの向きも大きくばらつく可能性がある。そのため、ルーバ５の外観を向上する上では不利である。しかし、枠体１０が正方形である場合には、斜状端面及び遮光片１６は、エンド部材（第１の枠部材）１１又はサイド部材（第２の枠部材）２１のどちらに設けても良い。
【図面の簡単な説明】
【００４４】
【図１】本発明の一実施形態に係る照明器具を示す斜視図。
【図２】図１の照明器具が備えるルーバを示す斜視図。
【図３】図２のルーバの一端部を示す斜視図。
【図４】図２のルーバの一端部を示す平面図。
【図５】組立てが完了する直前の状態で図４中Ｆ５部を示す斜視図。
【図６】組立てが完了する直前の状態で図４中Ｆ６部を示す斜視図。
【図７】図６に示した部分の分解斜視図。
【符号の説明】
【００４５】
１…照明器具、２…器具本体、３…蛍光ランプ（光源）、５…ルーバ（制光体）、１０…枠体、１１…エンド部材（第１の枠部材）、１２…第１ウェブ、１２ａ…斜状端面、１２ｂ…第１ウェブの三角形状の端部（第１ウェブ端部）、１３…第１内側フランジ、１４…第１外側フランジ、１４ａ…第１外側フランジの端面、１５…係止溝、１６…遮光片、２１…サイド部材（第２の枠部材）、２２…第２ウェブ、２２ａ…第２ウェブ端部、２３…第２内側フランジ、２４…第２外側フランジ、２５…係止爪
【図１】
2008293800.tif 000003
【図２】
2008293800.tif 000004
【図３】
2008293800.tif 000005
【図４】
2008293800.tif 000006
【図５】
2008293800.tif 000007
【図６】
2008293800.tif 000008
【図７】
2008293800.tif 000009